【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
ナフテン酸腐食を防止するための非ポリマー性かつ非汚損性の効果的添加剤であり、
オキシド化リン酸エステルの効果的腐食防止量を含み、
前記オキシド化リン酸エステルが、第一のリン酸エステルと、ブチレンオキシド、エチレンオキシド、プリピレンオキシド、全ての他のオキシラン化合物又はそれらの組み合わせを含む群から選択されるオキシラン、との反応により、構造Ａ及びＢを持つ前記オキシド化リン酸エステルを生成させ、
【化１】
2012524167.tif 000001
（ここで、Ｒ１及びＲ２はそれぞれ独立して、炭素数１から２０を持つ基であり、Ｒ１及びＲ２はお互いに同じであってよく又は異なっていてもよく、ＸはＨ、ＣＨ３又はＣ２Ｈ５であり；ｎは１から２０である）、
前記リン酸エステルが、構造Ｉ及びＩＩの化合物の混合物を少なくとも含み、
【化２】
2012524167.tif 000002
（ここで、Ｒ１及びＲ２はそれぞれ独立して炭素数１から２０を持つ基であり、Ｒ１及びＲ２はお互いに同じであってよく又は異なっていてもよい）、
ここで、前記リン酸エステルがアルコールと五酸化リンとの反応により得られる反応混合物である、効果的添加剤。
【請求項２】
請求項１に記載の効果的添加剤であり、前記効果的添加剤が酸値が、通常のアルコール性ＫＯＨに対してサンプルを滴定して決定される１ｍｇＫＯＨ／ｇから２０ｍｇＫＯＨ／ｇの範囲であり、リン含有量が前記効果的添加剤の０．５％から９％の範囲で変動する、効果的添加剤。
【請求項３】
請求項１又は２のいずれか一項に記載の効果的添加剤であり、前記五酸化リンと前記アルコールとのモル比が、１から１０モルの前記アルコールに対して１モルの五酸化リン、及び１から７モルの前記アルコールに対して１モルの五酸化リンであるように、使用される、効果的添加剤。
【請求項４】
請求項１乃至３のいずれか一項に記載の効果的添加剤であり、前記添加剤の活性投与量が１から２０００ｐｐｍである、果的添加剤。
【請求項５】
事項６：石油化学プラントの炭化水素処理の金属製表面のナフテン酸腐食防止の方法であり、前記炭化水素処理がナフテン酸を含む流の処理のためであり、前記処理ユニットが蒸留カラム、ストリッパ、トレイ、ポンプ周りパイプ及び関連する装置を含み、かつ前記処理が請求項１乃至４のいずれか一項に記載の前記オキシド化リン酸エステルを用いるものであり、次のステップ：
ａ．  ナフテン酸を含む前記炭化水素を加熱して前記炭化水素の一部を蒸発させる；
ｂ．  前記炭化水素蒸気を凝縮し、前記炭化水素処理ユニットを通過させて凝縮蒸留物を生成させ；
ｃ．  前記凝縮蒸留物が前記炭化水素処理ユニットに戻されるか又は生成物として回収される前に、前記蒸留物に１から２０００ｐｐｍの請求項１乃至４のいずれか一項に記載の前記オキシド化リン酸エステルを腐食防止効果的量を添加して反応混合物を形成させ；
ｄ．  前記反応混合物を前記炭化水素処理ユニットの前記金属性表面に接触させて前記表面上に保護膜を形成させて、前記表面を腐食に対して防止し；及び
ｅ．  前記凝縮蒸留物を前記炭化水素処理ユニットに戻すか、又は生成物として回収することを含む、方法。
【請求項６】
請求項５に記載の方法であり、前記流が原油、フィードストック、炭化水素流、及びそれらのフラクションを含む、方法。
【請求項７】
請求項１乃至４のいずれか一項に記載のオキシド化リン酸エステル添加剤又は請求項５又は６のいずれか一項に記載の方法で製造された前記オキシド化リン酸エステル添加剤の、ナフテン酸を含む流れを処理するために使用される、石油化学プラントの炭化水素処理ユニットの金属表面のナフテン酸腐食を防止するための使用であり、前記処理ユニットが蒸留搭、ストリッパ、トレイ、ポンプ周りのパイプ径及び関連設備を含む、使用。
【手続補正２】
【補正対象書類名】明細書
【補正対象項目名】００３７
【補正方法】変更
【補正の内容】
【００３７】
【化３】
2012524167.tif 000003
ここでＲ１及びＲ２はそれぞれ独立して、炭素数１から２０を持つ基であり、Ｒ１及びＲ２はお互いに同じであってよく又は異なっていてもよく、ＸはＨ、ＣＨ３又はＣ２Ｈ５であり；ｎは１から２０であり、前記第一のリン酸エステルが構造Ｉ又はＩＩをもち、
【００３８】
【化４】
2012524167.tif 000004
ここで、Ｒ１及びＲ２はそれぞれ独立して炭素数１から２０を持つ基であり、Ｒ１及びＲ２はお互いに同じであってよく又は異なっていてもよく、前記第一のリン酸エステルがアルコールと五酸化リンとの反応により得られる。
従って、１つの側面で本発明はナフテン酸腐食を防止するための非ポリマー性かつ非汚損性の効果的添加剤を提供するものであり、前記添加剤は：オキシド化リン酸エステルの効果的腐食防止量を含み、前記オキシド化リン酸エステルが、第一のリン酸エステルと、ブチレンオキシド、エチレンオキシド、プリピレンオキシド、全ての他のオキシラン化合物又はそれらの組み合わせを含む群から選択されるオキシラン、との反応により、構造Ａ及びＢを持つ前記オキキド化リン酸エステルを生成させ、
【化５】
2012524167.tif 000005
（ここで、Ｒ１及びＲ２はそれぞれ独立して、炭素数１から２０を持つ基であり、Ｒ１及びＲ２はお互いに同じであってよく又は異なっていてもよく、ＸはＨ、ＣＨ３又はＣ２Ｈ５であり；ｎは１から２０である）、前記リン酸エステルが、構造Ｉ及びＩＩの化合物の混合物を少なくとも含み、
【化６】
2012524167.tif 000006
（ここで、Ｒ１及びＲ２はそれぞれ独立して炭素数１から２０を持つ基であり、Ｒ１及びＲ２はお互いに同じであってよく又は異なっていてもよい）、ここで、前記リン酸エステルがアルコールと五酸化リンとの反応により得られる反応混合物である、効果的添加剤である。
第２の側面では、本発明は石油化学プラントの炭化水素処理の金属製表面のナフテン酸腐食防止の方法を提供するものであり、前記方法は、前記炭化水素処理がナフテン酸を含む流の処理のためであり、前記処理ユニットが蒸留カラム、ストリッパ、トレイ、ポンプ周りパイプ及び関連する装置を含み、かつ前記処理が請求項１乃至４のいずれか一項に記載の前記オキシド化リン酸エステルを用いるものであり、次のステップ：
ａ．  ナフテン酸を含む前記炭化水素を加熱して前記炭化水素の一部を蒸発させる；
ｂ．  前記炭化水素蒸気を凝縮し、前記炭化水素処理ユニットを通過させて凝縮蒸留物を生成させ；
ｃ．  前記凝縮蒸留物が前記炭化水素処理ユニットに戻されるか又は生成物として回収される前に、前記蒸留物に１から２０００ｐｐｍの請求項１乃至４のいずれか一項に記載の前記オキシド化リン酸エステルを腐食防止効果的量を添加して反応混合物を形成させ；
ｄ．  前記反応混合物を前記炭化水素処理ユニットの前記金属性表面に接触させて前記表面上に保護膜を形成させて、前記表面を腐食に対して防止し；及び
ｅ．  前記凝縮蒸留物を前記炭化水素処理ユニットに戻すか、又は生成物として回収することを含む、方法である。
第３の側面では、本発明は、本発明のオキシド化リン酸エステル添加剤又は本発明の石油化学プラントの炭化水素処理の金属製表面のナフテン酸腐食防止の方法で製造された前記オキシド化リン酸エステル添加剤の、ナフテン酸を含む流れを処理するために使用される、石油化学プラントの炭化水素処理ユニットの金属表面のナフテン酸腐食を防止するための使用であり、前記処理ユニットが蒸留搭、ストリッパ、トレイ、ポンプ周りのパイプ径及び関連設備を含む、使用である。
【手続補正３】
【補正対象書類名】明細書
【補正対象項目名】００４４
【補正方法】変更
【補正の内容】
【００４４】
【化７】
2012524167.tif 000007
ここで、Ｒ１及びＲ２はそれぞれ独立して、１から２０の炭素数を持つ基から選択され、Ｒ１及びＲ２は同じであってもよく又は異なっていてもよい。
【手続補正４】
【補正対象書類名】明細書
【補正対象項目名】００９４
【補正方法】変更
【補正の内容】
【００９４】
事項１：  ナフテン酸腐食を防止するための効果的な非ポリマー性かつ非汚損性添加剤であり、オキシド化リン酸エステルの効果的腐食防止量を含み、前記オキシド化リン酸エステルが、第一のリン酸エステルと、ブチレンオキシド、エチレンオキシド、プリピレンオキシド又は全ての他のオキシラン化合物及びそれらの組み合わせとの反応により、構造Ａ又はＢを持つ前記オキソドリン酸エステルの構造A及び構造Bの混合物を生成する。
【手続補正５】
【補正対象書類名】明細書
【補正対象項目名】００９５
【補正方法】変更
【補正の内容】
【００９５】
：
【化８】
2012524167.tif 000008
ここでＲ１及びＲ２はそれぞれ独立して、炭素数１から２０を持つ基であり、Ｒ１及びＲ２はお互いに同じであってよく又は異なっていてもよく、ＸはＨ、ＣＨ３又はＣ２Ｈ５であり；ｎは１から２０であり、前記リン酸エステルが構造Ｉ又はＩＩをもつ化合物の混合物であり、
【手続補正６】
【補正対象書類名】明細書
【補正対象項目名】００９６
【補正方法】変更
【補正の内容】
【００９６】
【化９】
2012524167.tif 000009
ここで、Ｒ１及びＲ２はそれぞれ独立して炭素数１から２０を持つ基であり、Ｒ１及びＲ２はお互いに同じであってよく又は異なっていてもよく、前記リン酸エステルがアルコールと五酸化リンとの反応混合物により得られる。
【手続補正７】
【補正対象書類名】明細書
【補正対象項目名】００９７
【補正方法】変更
【補正の内容】
【００９７】
事項２：事項１に記載の効果的添加剤であり、前記効果的添加剤が酸値が、通常のアルコール性ＫＯＨに対してサンプルを滴定して決定される１ｍｇＫＯＨ／ｇから２０ｍｇＫＯＨ／ｇの範囲であり、リン含有量が前記効果的添加剤の０．５％から９％の範囲で変動し得る、効果的添加剤。
【手続補正８】
【補正対象書類名】明細書
【補正対象項目名】００９８
【補正方法】削除
【補正の内容】
【手続補正９】
【補正対象書類名】明細書
【補正対象項目名】００９９
【補正方法】変更
【補正の内容】
【００９９】
事項３：事項１又は２に記載の効果的添加剤であり、前記五酸化リンと前記アルコールとのモル比が、１から１０モルの前記アルコールに対して１モルの五酸化リン、及び１から７モルの前記アルコールに対して１モルの五酸化リンであるように、使用される、効果的添加剤。
【手続補正１０】
【補正対象書類名】明細書
【補正対象項目名】０１００
【補正方法】変更
【補正の内容】
【０１００】
事項４：事項１乃至３のいずれかに記載の効果的添加剤であり、前記添加剤の活性投与量が１から２０００ｐｐｍである、効果的添加剤。
【手続補正１１】
【補正対象書類名】明細書
【補正対象項目名】０１０１
【補正方法】変更
【補正の内容】
【０１０１】
事項５：石油化学プラントの炭化水素処理の金属製表面のナフテン酸腐食防止の方法であり、前記炭化水素処理がナフテン酸を含む流の処理のためであり、前記処理ユニットが蒸留カラム、ストリッパ、トレイ、ポンプ周りパイプ及び関連する装置を含み、かつ前記処理が事項１乃至４のいずれかの前記オキシド化リン酸エステルを用いるものであり、次のステップを含む：
ａ．  ナフテン酸を含む前記炭化水素を加熱して前記炭化水素の一部を蒸発させる；
ｂ．  前記炭化水素蒸気を凝縮し、前記炭化水素処理ユニットを通過させて凝縮蒸留物を生成させ；
ｃ．  前記凝縮蒸留物が前記炭化水素処理ユニットに戻されるか又は生成物として回収される前に、前記蒸留物に１から２０００ｐｐｍの事項１乃至４のいずれかの前記オキシド化リン酸エステルを腐食防止効果的量を添加して反応混合物を形成させ；
ｄ．  前記反応混合物を前記炭化水素処理ユニットの前記金属性表面に接触させて前記表面上に保護膜を形成させて、前記表面を腐食に対して防止し；及び
ｅ．  前記凝縮蒸留物を前記炭化水素処理ユニットに戻すか、又は生成物として回収する。
【手続補正１２】
【補正対象書類名】明細書
【補正対象項目名】０１０２
【補正方法】変更
【補正の内容】
【０１０２】
事項６：事項５に記載の処理であり、前記流が原油、フィードストック、炭化水素流及びそれらのフラクションを含む、処理。
事項７：事項１乃至４のいずれかに記載のオキシド化リン酸エステル添加剤又は事項５又は６のいずれかに記載の石油化学プラントの炭化水素処理の金属製表面のナフテン酸腐食防止の方法で製造された前記オキシド化リン酸エステル添加剤の、ナフテン酸を含む流れを処理するために使用される、石油化学プラントの炭化水素処理ユニットの金属表面のナフテン酸腐食を防止するための使用であり、前記処理ユニットが蒸留搭、ストリッパ、トレイ、ポンプ周りのパイプ径及び関連設備を含む使用。